(57)【要約】【課題】洗剤による泡が液体排出部から排出されることで洗浄槽の液体量が異常であると誤って認識されてしまうのを抑制すること。【解決手段】食器洗浄機は、液体を収容可能な洗浄槽１２と、その洗浄槽１２内の液体が導入されるとともに、洗浄槽１２内の液体量が所定量以上になると洗浄槽１２から導入された液体が排出される液体排出部６４と、その液体排出部６４から排出された液体を検知可能な液体検知部６８を備えている。液体排出部６４には、液体を溜めて封止することが可能なトラップ部６６が設けられている。【選択図】  図１
2004357797.tif 000002
【特許請求の範囲】
【請求項１】
液体を収容可能な洗浄槽と、その洗浄槽内の液体が導入されるとともに、前記洗浄槽内の液体量が所定量以上になると前記洗浄槽から導入された液体が排出される液体排出部と、その液体排出部から排出された液体を検知可能な液体検知部を備え、
前記液体排出部に、液体を溜めて封止することが可能なトラップ部が設けられていることを特徴とする食器洗浄機。
【請求項２】
前記トラップ部を液体で封止するために前記液体排出部内に供給することが必要な最少の第１液体量よりも、前記液体排出部から液体を流出させるために前記液体排出部内に供給することが必要な最少の第２液体量の方が多くなるように構成されていることを特徴とする請求項１に記載の食器洗浄機。
【請求項３】
前記洗浄槽内に設けられたノズルと、そのノズルに液体を供給するための洗浄ポンプと、制御部をさらに備え、
前記制御部は、前記トラップ部に液体が溜められるように前記洗浄槽に液体を供給する処理を実行し、その後、前記洗浄ポンプを動作させる処理を実行することを特徴とする請求項１に記載の食器洗浄機。
【請求項４】
前記洗浄槽内に設けられたノズルと、そのノズルに液体を供給するための洗浄ポンプと、制御部をさらに備え、
前記制御部は、前記液体排出部に前記第１液体量以上で前記第２液体量未満の液体が供給されるように前記洗浄槽に液体を供給する処理を実行し、その後、前記洗浄ポンプを動作させる処理を実行することを特徴とする請求項２に記載の食器洗浄機。
【請求項５】
排水ポンプと、その排水ポンプによりポンプされた前記洗浄槽内の液体が通る排水管をさらに備え、
前記排水管を通る液体が、前記トラップ部に導入されるように構成されていることを特徴とする請求項１〜４のいずれかに記載の食器洗浄機。
【発明の詳細な説明】
【０００１】
【発明の属する技術分野】本発明は、食器洗浄機に関する。
【０００２】
【従来の技術】食器洗浄機では一般に、噴射させた水を食器に当てることで食器を洗浄するようにしている。噴射させる水に泡が含まれていると、噴射する水の勢いが減少し、この結果、食器の洗浄力が低下するおそれがある。このため、食器洗浄機では一般に、泡立ちを抑えた専用の洗剤を使用することが求められている。しかしながら、現実には、泡立ちの優れた洗剤（台所用の中性洗剤等）が食器洗浄機に使用されてしまう場合がある。この場合、洗浄槽内に多量の泡が発生することがある。
【０００３】
ところで、例えば洗浄槽に水を供給する給水管の途中の給水弁が、閉じられるべきなのに開いたままである場合が仮に生じたとする。この場合、何の対策も施さないと、洗浄槽の水量が上昇した結果、洗浄槽の中でも望まない位置から水が溢れてしまう。これに対処するものとして、洗浄槽に接続された溢水排出管と、その溢水排出管から排出された水を検知可能な溢水検知スイッチを備えた食器洗浄機がある。これによると、洗浄槽内の水量の異常を認識できる。
【０００４】
【発明が解決しようとする課題】しかしながら、この食器洗浄機では、食器洗浄機に泡立ちの優れた洗剤が使用され、洗浄槽内に多量の泡が生じた場合、その泡が溢水排出部を通って排出され、溢水検知スイッチで検知されてしまう場合があった。この場合、実際の洗浄槽の水量は正常であるにもかかわらず、泡が溢水排出部から排出されることで洗浄槽の水量が異常であると誤って認識されてしまうという不合理な事態が生じることになる。
【０００５】
なお、これまでの食器洗浄機では、泡立ちの優れた洗剤を使用することは一般的に好ましくないので、泡立ちの優れた洗剤を誤って使用したことを知らせるために、多量の泡の存在自体を異常としたい場合もある。しかし、泡が存在していても、異常としなくてよい場合も多い。また、多量の泡の存在による異常と洗浄槽の水量の異常を区別して検知したい場合もある。
【０００６】
本発明は、泡が液体排出部から排出されることで洗浄槽の液体量が異常であると誤って認識されてしまうのを抑制することを目的とする。
【０００７】
【課題を解決するための手段及び作用と効果】本発明の１つの態様の食器洗浄機は、液体を収容可能な洗浄槽と、その洗浄槽内の液体が導入されるとともに、前記洗浄槽内の液体量が所定量以上になると前記洗浄槽から導入された液体が排出される液体排出部と、その液体排出部から排出された液体を検知可能な液体検知部を備えている。前記液体排出部には、液体を溜めて封止することが可能なトラップ部が設けられている。
【０００８】
トラップ部は排水管に設けられるのが通常であるが、本態様は、食器洗浄機の前記液体排出部にトラップ部を設けたことを特徴とするものである。本態様によると、泡立ちの優れた洗剤を使用して、洗浄槽内に多量の泡が生じた場合であっても、その泡は、トラップ部を封止する液体によってガードされる。よって、その泡が液体排出部から排出されることを抑制できる。このため、その泡を液体検知部が検知することを抑制できる。従って、洗浄槽の液体量が異常であると誤って認識されてしまうことを抑制できる。
このように、前記液体排出部にトラップ部を設けると、食器洗浄機に特有の作用効果を得ることができる。
【０００９】
前記トラップ部を液体で封止するために前記液体排出部内に供給することが必要な最少の第１液体量よりも、前記液体排出部から液体を流出させるために前記液体排出部内に供給することが必要な最少の第２液体量の方が多くなるように構成されていることが好ましい。
本態様によると、第１液体量以上で第２液体量未満の液体を液体排出部に供給することで、トラップ部に液体を溜めることができるとともに、その液体が液体排出部から排出され、液体検知部で検知されてしまうことを防止できる。
【００１０】
前記トラップ部を液体で封止するために前記液体排出部内の液体が超えるのに必要な障壁部の高さよりも、前記流体排出部から液体を流出させるために前記液体排出部内の液体が超えるのに必要な障壁部の高さの方が高くなるように構成されていることが好ましい。
【００１１】
前記トラップ部は、概略Ｕ字状又は概略Ｖ字状の液体通路を形成していることが好ましい。
【００１２】
前記洗浄槽内に設けられたノズルと、そのノズルに液体を供給するための洗浄ポンプと、制御部をさらに備え、前記制御部は、前記トラップ部に液体が溜められるように前記洗浄槽に液体を供給する処理を実行し、その後、前記洗浄ポンプを動作させる処理を実行することが好ましい。
このような制御部を備えていると、洗浄ポンプを動作させて洗浄槽内に泡が生じる前に、トラップ部に液体を確実に溜めることができる。
【００１３】
前記洗浄槽内に設けられたノズルと、そのノズルに液体を供給するための洗浄ポンプと、制御部をさらに備え、前記制御部は、前記液体排出部に前記第１液体量以上で前記第２液体量未満の液体が供給されるように前記洗浄槽に液体を供給する処理を実行し、その後、前記洗浄ポンプを動作させる処理を実行することが好ましい。
このような制御部を備えていると、洗浄ポンプを動作させて洗浄槽内に泡が生じる前に、トラップ部に液体を確実に溜めることができるとともに、その液体を溜める際に液体排出部が液体が流れ出ることを確実に防止できる。
【００１４】
排水ポンプと、その排水ポンプによりポンプされた前記洗浄槽内の液体が通る排水管をさらに備え、前記排水管を通る液体が、前記トラップ部に導入されるように構成されていることが好ましい。
本態様によると、排水管を通る液体によって、トラップ部に溜める液体を入れ替えることができる。
【００１５】
前記排水管を通る液体が、前記トラップ部の下流側に向けて導入されるように構成されていることが好ましい。
本態様によると、液体排出部から泡が排出されることをより効果的に抑制できる。
【００１６】
【発明の実施の形態】
（第１実施形態）  図１は、第１実施形態の食器洗浄機の概略断面図を示す。この食器洗浄機は、洗浄機本体１０によって外枠が構成されている。洗浄機本体１０の内部には、洗浄槽１２が収容されている。洗浄槽１２の前側（図１では左側）には、扉３４が取付けられている。扉３４の上部には、電源スイッチ２８や、スタート／一時停止スイッチ３０が設けられている。これらのスイッチ２８、３０は制御部３２に電気的に接続されている。制御部３２は、食器洗浄機の各部の動作を制御する。洗浄槽１２の頂部は開口している。その開口は、洗浄槽１２が洗浄機本体１０に完全に収容されている場合は、内蓋１６によって閉じられている。内蓋１６は、図示しないリンク機構を介して洗浄機本体１０に取付けられている。扉３４を手前側（図１では左側）に引出すと、前記リンク機構によって内蓋１６が上側に移動するとともに、洗浄槽１２が引出される。
【００１７】
洗浄槽１２の内部には、食器かご３６が収容されている。食器かご３６は取外し可能である。食器かご３６は棒材を格子状に配置することで構成されている。食器かご３６には、皿、茶碗、コップ等の食器２２を置くことができる。また、食器かご３６の小物かご２０には、はし、スプーン等を置くことができる。小物かご２０には、洗剤入れ１８が取付けられている。
【００１８】
洗浄槽１２の背面の中間部の開口１２ａは、給水管１１の一端と繋がっている。給水管１１の途中には、給水弁８４が設けられている。給水管１１の他端１１ａは、食器洗浄機の外部の給水源８２に接続されている。洗浄槽１２の背面の下側の開口１２ｂは、エアー抜き管７８の一端と繋がっている。エアー抜き管７８の他端は、エアー抜き部８０に接続されている。
【００１９】
洗浄槽１２の底部には、開口部４９が形成されている。開口部４９の下方には、水溜め部５２が設けられている。開口部４９（水溜め部５２の頂部）付近には、残菜フィルタ４８が設けられている。残菜フィルタ４８は取外し可能である。
【００２０】
水溜め部５２には、第１管５４、第２管５５、第３管５６、第４管５７の一端が接続されている。第１管５４の途中には、洗浄ポンプ５９が設けられている。第１管５４の他端５４ａは、洗浄槽１２の内部に達している。第１管５４の他端５４ａには、回転ノズル５８が取付けられている。回転ノズル５８は、食器かご３６の下方に位置している。回転ノズル５８は、上下方向に伸びる軸を中心として回転可能である。洗浄槽１２の底部には、ヒーター４２が設けられている。ヒーター４２は、ヒーターカバー４０で覆われている。洗浄槽１２の底面の裏側には、サーミスタ５０が取付けられている。
【００２１】
第２管５５の他端には、水位検知ケース６２が取付けられている。水位検知ケース６２内には、フロート６０が配置されている。フロート６０の上方には、水位検知スイッチ８８が設けられている。水位検知スイッチ８８は、制御部３２に電気的に接続されている。
【００２２】
図２によく示されるように、第３管５６の他端には、溢水排出ケース６４の入口部６４ａが繋がっている。溢水排出ケース６４の出口部６４ｂは開口している。溢水排出ケース６４は、外枠ケース９０と、仕切り壁９２、９４、９６を有する。仕切り壁は、第１仕切り壁９２、第２仕切り壁９４、第３仕切り壁９６の順番で、間隔を置いて平行に配置されている。第１仕切り壁９２と第３仕切り壁９６は外枠ケース９０の底面から上方に伸びている。第２仕切り壁９４は外枠ケース９０の頂面から下方に伸びている。第１仕切り壁９２の高さＨ１と第３仕切り壁９６の高さＨ３は、第２仕切り壁９４の下端の高さＨ２よりも高い。これらの仕切り壁９２、９４、９６によってＵ字状の液体通路６６が形成されている。これがトラップ部６６となっている。
【００２３】
また、第１仕切り壁９２よりも、第３仕切り壁９６の方が高い。第１仕切り壁９２は、トラップ部６６に水で封止するために溢水排出ケース６４内の水が超えるのに必要な障壁となっている。第３仕切り壁９６は、溢水排出ケース６４から水を流出させるために溢水排出ケース６４内の水が超えるのに必要な障壁となっている。このように構成することで、トラップ部６６を水で封止するために溢水排出ケース６４内に供給することが必要な最少の水量よりも、溢水排出ケース６４から水を流出させるために溢水排出ケース６４内に供給することが必要な最少の水量の方が多くなっている。
【００２４】
図１に示すように、第４管（排水管）５７の途中には、排水ポンプ７６、エアー抜き部８０、排水トラップ部７０、排水逆止弁７２が順に設けられている。第４管５７の他端５７ａは、食器洗浄機の外部の排水部７４に接続されている。
【００２５】
溢水排出ケース６４の出口部６４ｂ（図２参照）の下方の周辺であって、洗浄機本体１０の底面１０ａの表側に隣接する位置には、溢水検知スイッチ（検知電極対）６８が設けられている。このスイッチ６８を構成する電極対の先端に水が接触すると、電極対の間が導通する。この結果、そのスイッチ６８から電気信号が制御部３２に送られる。洗浄槽１２の前側の底面の裏側に隣接する位置には、乾燥ファン４６が設けられている。乾燥ファン４６は、空気通路４４の一端側に位置している。空気通路４４の他端は、洗浄槽１２の前面の開口１２ｃと繋がっている。空気通路４４は、壁３８によって仕切られている。図１に示す空気通路４４を仕切る壁３８の高さＨ５よりも、図２に示す溢水排出ケース６４の第３仕切り壁９６の高さＨ３が低くなるように構成されている。
【００２６】
次に、この食器洗浄機の動作を説明する。この食器洗浄機は、使用者が準備工程を行った後、給水工程、洗浄工程、すすぎ工程、乾燥工程の順に動作する。なお、洗浄工程やすすぎ工程においても、詳細には、給水、洗浄、排水等の処理を所定のパターンで繰返し行う。
【００２７】
（準備工程）  図１に示す扉３４を手前（図１の左側）に引いて洗浄槽１２を引出し、食器かご３６に食器２２を置く。また、食器かご３６の小物かご２０に取付けられた洗剤入れ１８に洗剤を入れる。この洗剤として、泡立ちの優れた洗剤（台所用の中性洗剤等）を入れたとする。次に、扉３４を奥側（図１の右側）に押して洗浄槽１２を洗浄機本体１０に収容する。次に、電源スイッチ２８をオンし、所定のコースを選択し、スタート／一時停止スイッチ３０をオンすると、運転が開始される。
【００２８】
（給水工程）  運転が開始されると、制御部３２は、給水弁８４を開く。すると、給水源８２から給水管１１を通じて洗浄槽１２内に給水される。給水が継続されると、水位検知ケース６２内のフロート６０が上昇する。洗浄槽１２の水位が所定の水位に達し、フロート６０の上端が水位検知スイッチ８８に当たると、水位検知スイッチ８８がオンする。すると、その検知信号が制御部３２に送られる。この結果、制御部３２は給水弁８４を閉じる。これにより、給水工程が終了する。
【００２９】
給水工程で洗浄槽１２に供給され、結果として溢水排出ケース６４に導入される水の水位（初期給水の水位）は、図２に示す第１仕切り壁９２の高さＨ１以上で、第３仕切り壁９６の高さＨ３未満となるように設定されている。これにより、図３に模式的に示すように、溢水排出ケース６４の出口部６４ｂから水を排出させずに、トラップ部６６に水Ｗを溜めることができる。
【００３０】
ここで仮に、図１に示す給水弁８４が故障しており、制御部３２が給水弁８４を閉じる処理を行っても、給水弁８４が閉じなかったとする。あるいは、フロート６０が故障しており、水位検知ケース６２内の水位が上昇してもフロート６０が上昇せず、水位検知スイッチ８８がオンしなかったとする。この場合、洗浄槽１２の水位が正常時よりも上昇することになる。この結果、溢水排出ケース６４の水位も上昇し、その水位が第３仕切り壁９６の高さＨ３（図２参照）を超えて、溢水排出ケース６４から水が排出される。
【００３１】
この水が溢水検知スイッチ６８に接触し、検知されると、そのスイッチ６８から検知信号が出力される。この検知信号は制御部３２に送られる。この検知信号を受けた制御部３２は、排水ポンプ７６を動作させる。これにより、水溜め部５２（洗浄槽１２）の水が、第４管５７を通って食器洗浄機の外部の排水部７４に導かれる。この結果、洗浄槽１２内の水が排水される。このように構成されているので、洗浄槽１２の水が空気通路４４を仕切る壁３８を超えて、空気通路４４から流れ出てしまうことを防止できる。また、制御部３２は、上記検知信号を受けると、異常を報知するブザーを鳴らすとともに、扉３４に設けられた表示部（図示省略）に異常が生じたことを表示する。
但し、本実施形態では、このような異常は生じなかったものとする。
【００３２】
（洗浄工程）  給水工程が終了すると、制御部３２は、洗浄ポンプ５９を駆動させるとともに、ヒーター４２に通電させる。洗浄ポンプ５９を駆動すると、水溜め部５２（洗浄槽１２）の水が第１管５４を通って回転ノズル５８に導かれる。この水は回転しているノズル５８から洗浄槽１２内に噴射される。その噴射水が洗浄槽１２内の食器２２に当たることで、食器２２が洗浄される。洗浄槽１２内に噴射された水は水溜め部５２（洗浄槽１２）に再び溜められる。この水が洗浄ポンプ５９によって再度回転ノズル５８に導かれて噴射される。このような循環作用によって食器２２が洗浄される。また、ヒーター４２に通電して水を温めると、温かい水を食器２２に当てることができるので、洗浄能力が高くなる。制御部３２は、サーミスタ５０の出力に応じてヒーター４２の出力をオン・オフ制御する。
【００３３】
制御部３２は、洗浄ポンプ５９を所定時間した駆動した後に、その駆動を停止する。次に、制御部３２は、排水ポンプ７６を動作させる。これにより、水溜め部５２（洗浄槽１２）の水が第４管５７を通って食器洗浄機の外部の排水部７４に導かれる。この結果、洗浄槽１２内の水が排水される。
【００３４】
先に述べたように泡立ちの優れた洗剤を使用した場合、このような洗浄動作を行うと、洗浄槽１２（水溜め部５２）内に大量の泡が発生する。そして、この泡が第３管５６を通って溢水排出ケース６４まで達する場合がある。
しかし、本実施形態では、溢水排出ケース６４にトラップ部６６が設けられており、トラップ部６６には、図３に示すように、給水工程において水Ｗが溜められ、水封されている。よって、図４に示すように、第３管５６を通って溢水排出ケース６４まで達した泡Ｂは、トラップ部６６を封止する水Ｗによってガードされる。このため、洗浄槽１２（水溜め部５２）内に大量の泡が発生しても、その泡が溢水排出ケース６４から流れ出て、溢水検知スイッチ６８で検知されることを防止できる。従って、洗浄槽１２の水量が正常であるにもかかわらず、泡が溢水検知スイッチ６８で検知されることによって、洗浄槽１２の水量が異常であると誤って認識されてしまうことを防止できる。
【００３５】
（すすぎ工程）  洗浄工程が終了すると、制御部３２は、再度給水弁８４を開き、洗浄槽１２内に給水する。また、制御部３２は、洗浄ポンプ５９を動作させる。これにより、給水された水が回転しているノズル５８から洗浄槽１２内に噴射される。次に、制御部３２は、排水ポンプ７６を動作させて、すすぎ後の水溜め部５２（洗浄槽１２）の水を排水部７４に排出する。以上のすすぎ処理は、複数回繰返される。
【００３６】
従来の食器洗浄機では、洗浄工程により洗浄槽内に生じた多量の泡が、その後のすすぎ工程時の給水により溢水排出部に押しやられ、この結果、その泡が溢水排出部から流れ出てしまうという問題があった。
これに対し、本実施形態の食器洗浄機によれば、溢水排出ケース６４に上記のようなトラップ部６６が設けられているため、上記のような場合にも、泡が溢水排出ケース６４から流れ出ることを効果的に防止できる。
【００３７】
（乾燥工程）  すすぎ工程が終了すると、制御部３２は、乾燥ファン４６を回転させる。これにより、外部の空気が空気通路４４を通って洗浄槽１２内に導入される。洗浄槽１２内に導入された空気は、ヒーター４２で温められる。温められた空気によって、洗浄槽１２内の食器２２が乾燥される。
【００３８】
（第２実施形態）  図５は、第２実施形態の食器洗浄機の概略断面図を示す。第２実施形態は、溢水排出ケース６４の入口部６４ａ（図２参照）が、水位検知ケース６２の下端部の開口６２ａと繋がっている。この点で、図１に示すように、溢水排出ケース６４の入口部６４ａ（図２参照）が第３管５６を介して水溜め部５２に接続されている第１実施形態と異なる。溢水排出ケース６４のトラップ部６６には、第１実施形態と同様に、給水工程において水が溜められて水封される。
【００３９】
泡立ちの優れた洗剤を使用して、洗浄槽１２（水溜め部５２）内に大量の泡が発生すると、この泡が第２管５５を通って水位検知ケース６２まで達する場合がある。そして、この水位検知ケース６２に溢水排出部が接続されていると、溢水排出部の構造によっては、その泡が溢水排出部から流れ出てしまう場合がある。この場合、溢水検知スイッチ６８が泡を検知してしまう。この結果、洗浄槽１２の水量が実際には正常であっても、異常であると誤って認識されてしまう。
【００４０】
これに対し、第２実施形態では、第１実施形態と同様に、水位検知ケース６２に接続された溢水排出ケース６４にトラップ部６６が設けられている。よって、第１実施形態と同様に、溢水排出ケース６４から泡が流れ出てしまうことを防止できる。
【００４１】
（第３実施形態）  図６は、第３実施形態の食器洗浄機の概略断面図を示す。第３実施形態では、排水管５７の途中の部分（詳細にはエアー抜き部８０）と、溢水排出ケース６４のうちトラップ部６６の上方に位置する部分が、管８９によって接続されている。これにより、排水管５７を通る水が、トラップ部６６に導入されるようになっている。より詳細には、管８９は、溢水排出ケース６４のうちトラップ部６６の下流側（図１ではトラップ部６６の右半分の側）の上方に位置する部分に接続されている。これにより、排水管５７を通る水は、トラップ部６６の下流側に向けて導入されるようになっている。
【００４２】
トラップ部６６の水は、先に述べたように泡をガードする役割を有しており、泡に触れる可能性が高い。この泡は、洗剤（典型的には、有機物である界面活性剤）を構成成分として含むものである。よって、トラップ部６６の水に泡が触れると、その水の中に洗剤成分が含まれることになる。また、トラップ部６６の水にその他の不純物が含まれる場合もある。この結果、トラップ部６６の水が入れ替わらずに長期間放置されると、腐敗する恐れもあり、衛生上の観点からできれば避けたい。また、悪臭の原因となる恐れもある。
【００４３】
これに対し、本実施形態によると、排水ポンプ７６が駆動されて排水管５７に水が流れ込んだ場合、その水がトラップ部６６に導入される。このため、排水管５７に水が通るたびにトラップ６６の水を入れ替えることができる。洗浄工程の後期の水やすすぎ工程の水は、洗剤等の含有量が少ない。よって、このような水でトラップ部６６の水が置き替えられることによって、トラップ部６６を衛生的に保つことができる。また、悪臭の発生も防止できる。
【００４４】
また、本実施形態のように、排水管５７を通る水がトラップ部６６の下流側に向けて導入されると、トラップ部６６に溜められた水が、溢水排出ケース６４の上流側に押し戻される。よって、この場合に溢水排出ケース６４の上流側に泡が存在していると、その泡についても押し戻されることになる。このため、溢水排出ケース６４から泡が排出されることをより効果的に抑制できる。
【００４５】
また、本実施形態では、第１実施形態のような洗浄槽１２に接続されたエアー抜き管７８（図１参照）が存在しない。しかし、溢水排出ケース６４の出口部は大気開放されているので、その溢水排出ケース６４に接続された管８９がエアー抜き管として役割も果たしている。よって、第１実施形態のようなエアー抜き管７８が存在しなくても、いわゆるサイホン現象の発生を防止できる。
【００４６】
（液体排出部の他の例）  第１実施形態等の溢水排出ケース６４に代えて、図７に示すような溢水排出管１００を用いてもよい。第１実施形態のように、この溢水排出管１００の入口部１００ａと図１に示す第３管５６の他端を繋ぐようにすればよい。また、第２実施形態のように、溢水排出管１００の入口部１００ａと図２に示す水位検知ケース６２の開口６２ａを繋ぐようにしてもよい。この溢水排出管１００には、Ｕ字状の液体通路１０２が形成されている。これがトラップ部１０２となっている。
【００４７】
また、溢水排出管１００のうち、管部１０４の下端は高さＨ１である。管部１０６の下端は高さＨ３である。高さＨ１よりも高さＨ３の方が高い。管部１０４の下端は、トラップ部１０２に水で封止するために溢水排出管１００内の水が超えるのに必要な障壁となっている。一方、管部１０６の下端は、溢水排出管１００の出口部１００ｂから水を流出させるために溢水排出管１００内の水が超えるのに必要な障壁となっている。
【００４８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
上記実施形態では、トラップ部がＵ字状の場合を例にしたが、トラップ部の構成に限定はない。トラップ部は、Ｖ字状であってもよいし、その他の形状であってもよい。
【００４９】
また、本明細書又は図面に説明した技術要素は、単独で又は各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【図面の簡単な説明】
【図１】第１実施形態の食器洗浄機の概略断面図を示す。
【図２】液体排出部の一例である溢水排出ケースの説明図を示す（１）。
【図３】液体排出部の一例である溢水排出ケースの説明図を示す（２）。
【図４】液体排出部の一例である溢水排出ケースの説明図を示す（３）。
【図５】第２実施形態の食器洗浄機の概略断面図を示す。
【図６】第３実施形態の食器洗浄機の概略断面図を示す。
【図７】液体排出部の他の例として溢水排出管の構成図を示す。
【符号の説明】
１０：洗浄機本体
１２：洗浄槽
５２：水溜め部
６２：水位検知ケース
６４：溢水排出ケース
６６：トラップ部
【図１】
2004357797.tif 000003
【図２】
2004357797.tif 000004
【図３】
2004357797.tif 000005
【図４】
2004357797.tif 000006
【図５】
2004357797.tif 000007
【図６】
2004357797.tif 000008
【図７】
2004357797.tif 000009